(57)【要約】【課題】１区画内のエリア間を移動できる場合に、システムで管理している入退室状態の実際との不整合を防止することができる入退室管理システムを提供する。【解決手段】入退室管理システムにおいて、区画を入退室する個人の識別情報の入力を受け付ける入力手段と、各個人の区画毎の入退室状態を記憶する記憶手段と、入力手段に入力された識別情報の個人について記憶手段が記憶する入退室状態を更新する管理手段と、１区画内の２エリアを直接に連通する出入口に対応付けられ、当該２エリアの双方の側にそれぞれ設置され、当該２エリア間を移動する個人の識別情報の入力を受け付けるエリア移動用入力手段と、を備え、管理手段は、一方のエリア移動用入力手段に識別情報が入力されると、当該識別情報の個人について記憶手段が記憶する一方のエリアの入退室状態を退室に、他方のエリアの入退室状態を入室に更新する。【選択図】図２
2013161229.tif 000002
【特許請求の範囲】
【請求項１】
複数設けられた区画のそれぞれの出入口に対応付けられて設置され、区画を入退室する複数の個人の各々を一意に識別する個人識別情報の入力を受け付ける入力手段と、
前記個人識別情報に、各個人の前記区画毎の入退室状態を対応付けて記憶する記憶手段と、
前記入力手段に入力された個人識別情報に対応する個人の前記区画への入室及び退室の別を判断し、前記記憶手段が記憶する当該個人の入退室状態を更新する入退室管理手段と、
１つの前記区画内に仕切られて設けられた複数のエリアのうちの２つのエリアである第１のエリア及び第２のエリアを直接に連通する出入口に対応付けられて、前記第１のエリア側及び前記第２のエリア側の双方にそれぞれ設置され、前記第１エリアと前記第２のエリアとの間を移動する個人の前記個人識別情報の入力を受け付けるエリア移動用入力手段と、を備え、
前記入退室管理手段は、前記第１のエリア側の前記エリア移動用入力手段に個人識別情報が入力された場合に、前記記憶手段における、当該個人識別情報に対応する個人の前記第１のエリアの入退室状態を退室に更新し、かつ、当該個人の前記第２のエリアの入退室状態を入室に更新するとともに、前記第２のエリア側の前記エリア移動用入力手段に個人識別情報が入力された場合に、前記記憶手段における、当該個人識別情報に対応する個人の前記第２のエリアの入退室状態を退室に更新し、かつ、当該個人の前記第１のエリアの入退室状態を入室に更新することを特徴とする入退室管理システム。
【発明の詳細な説明】
【技術分野】
【０００１】
この発明は、入退室管理システムに関するものである。
【背景技術】
【０００２】
従来における入退室管理システムにおいては、エリア（区画）間の出入口に設けられ識別情報が入力される入力装置と、入力装置の所属区画を記憶する所属区画テーブルと、入力装置の所属区画に基づいて入力装置に入力された識別情報の区画間の移動履歴を記憶する行動管理テーブルと、を備え、識別情報が入力された入力装置の所属区画と行動管理テーブルの当該識別情報の移動履歴上の最新の現区画が一致するか否かに応じて区画間の移動を許可するか否かを判定するものが知られている（例えば、特許文献１参照）。
【先行技術文献】
【特許文献】
【０００３】
【特許文献１】特開２００５−１６３４８６号公報
【発明の概要】
【発明が解決しようとする課題】
【０００４】
このように、特許文献１に示された従来における入退室管理システムは、個人が現在いる区画の管理を移動履歴という形で行っている。そして、識別情報が入力装置に入力された際には、この入力装置が所属する区画と移動履歴との整合性を確認して移動可否を判定するものである。
【０００５】
ところで、従来における入退室管理システムにおいては、個人が現在いる区画の管理を、区画それぞれにおける入退室状態を用いて行うものも存在する。このような各区画における入退室状態を用いて個人毎の現在区画を管理する入退室管理システムは、例えば図１に示すような区画配置である場合に、第１の入側カードリーダ９が操作されて個人識別情報が入力されると、当該入力された個人識別情報に対応する個人の第３の区画３に対する入退室状態を「入室」に更新する。また、第１の出側カードリーダ１０が操作されて個人識別情報が入力されると、当該入力された個人識別情報に対応する個人の第３の区画３に対する入退室状態を「退室」に更新する。
【０００６】
このような図１に示す区画配置に各区画における入退室状態を用いて個人毎の現在区画を管理する従来の入退室管理システムを適用した場合、特に、第３の区画３のように、１つの区画内が複数のエリアである第１のエリア４及び第２のエリア５に分割されていると、次のような問題が生じる。
【０００７】
すなわち、例えば、第１のエリア移動用カードリーダ１３を操作して第１のエリア４から第２のエリア５へと移動する場合、第１のエリア移動用カードリーダ１３に入力された個人識別情報に対応する個人の第１のエリア４に対する入退室状態は「退室」に更新されるが、第２のエリア５の入退室状態は「入室」にはならないため、当該個人の実際の入退室状態と入退室管理システムで管理している入退室状態とに不整合が生じてしまうという課題がある。
【０００８】
また、逆に、第２のエリア移動用カードリーダ１３を操作して第２のエリア４から第１のエリア５へと移動する場合には、第２のエリア移動用カードリーダ１３に入力された個人識別情報に対応する個人の第２のエリア４に対する入退室状態は「退室」に更新されるが、第１のエリア５の入退室状態は「入室」にはならないため、当該個人の実際の入退室状態と入退室管理システムで管理している入退室状態とに不整合が生じる。
【０００９】
特許文献１に示された従来における入退室管理システムにおいては、個人毎の現在区画の管理に入退室状態を用いていないため、このような入退室状態の不整合については全く考慮されておらず、個人毎の現在区画の管理に入退室状態を用いている入退室管理システムにおいて１つの区画内において仕切られた複数のエリア間を移動できる扉が存在する場合に、実際の入退室状態と入退室管理システムで管理している入退室状態との間に不整合が生じることを防止することはできないという課題がある。
【００１０】
この発明は、このような課題を解決するためになされたもので、個人毎の現在区画の管理に各区画における入退室状態を用いる入退室管理システムにおいて１つの区画内において仕切られた複数のエリア間を移動できる扉が存在する場合に、実際の入退室状態と入退室管理システムで管理している入退室状態との間に不整合が生じることを防止することができる入退室管理システムを得るものである。
【課題を解決するための手段】
【００１１】
この発明に係る入退室管理システムにおいては、複数設けられた区画のそれぞれの出入口に対応付けられて設置され、区画を入退室する複数の個人の各々を一意に識別する個人識別情報の入力を受け付ける入力手段と、前記個人識別情報に、各個人の前記区画毎の入退室状態を対応付けて記憶する記憶手段と、前記入力手段に入力された個人識別情報に対応する個人の前記区画への入室及び退室の別を判断し、前記記憶手段が記憶する当該個人の入退室状態を更新する入退室管理手段と、１つの前記区画内に仕切られて設けられた複数のエリアのうちの２つのエリアである第１のエリア及び第２のエリアを直接に連通する出入口に対応付けられて、前記第１のエリア側及び前記第２のエリア側の双方にそれぞれ設置され、前記第１エリアと前記第２のエリアとの間を移動する個人の前記個人識別情報の入力を受け付けるエリア移動用入力手段と、を備え、前記入退室管理手段は、前記第１のエリア側の前記エリア移動用入力手段に個人識別情報が入力された場合に、前記記憶手段における、当該個人識別情報に対応する個人の前記第１のエリアの入退室状態を退室に更新し、かつ、当該個人の前記第２のエリアの入退室状態を入室に更新するとともに、前記第２のエリア側の前記エリア移動用入力手段に個人識別情報が入力された場合に、前記記憶手段における、当該個人識別情報に対応する個人の前記第２のエリアの入退室状態を退室に更新し、かつ、当該個人の前記第１のエリアの入退室状態を入室に更新する構成とする。
【発明の効果】
【００１２】
この発明に係る入退室管理システムにおいては、個人毎の現在区画の管理に各区画における入退室状態を用いる入退室管理システムであって、１つの区画内において仕切られた複数のエリア間を移動できる扉が存在する場合に、実際の入退室状態と入退室管理システムで管理している入退室状態との間に不整合が生じることを防止することができるという効果を奏する。
【図面の簡単な説明】
【００１３】
【図１】この発明の実施の形態１に係る入退室管理システムが設置された施設の平面図である。
【図２】この発明の実施の形態１に係る入退室管理システムの構成を示すブロック図である。
【図３】この発明の実施の形態１に係る入退室管理システムの入退室情報管理において仮想的に用いる施設の平面図である。
【図４】この発明の実施の形態１に係る入退室管理システムの入側カードリーダが操作された場合の処理を示すフロー図である。
【図５】この発明の実施の形態１に係る入退室管理システムの出側カードリーダが操作された場合の処理を示すフロー図である。
【図６】この発明の実施の形態１に係る入退室管理システムのエリア移動用カードリーダが操作された場合の処理を示すフロー図である。
【発明を実施するための形態】
【００１４】
この発明を添付の図面に従い説明する。各図を通じて同符号は同一部分又は相当部分を示しており、その重複説明は適宜に簡略化又は省略する。
【００１５】
実施の形態１．
図１から図６は、この発明の実施の形態１に係るもので、図１は入退室管理システムが設置された施設の平面図、図２は入退室管理システムの構成を示すブロック図、図３は入退室情報管理において仮想的に用いる施設の平面図、図４は入側カードリーダが操作された場合の処理を示すフロー図、図５は出側カードリーダが操作された場合の処理を示すフロー図、図６はエリア移動用カードリーダが操作された場合の処理を示すフロー図である。
【００１６】
図１において、入退室管理システムが設置された施設内は、複数の区画、ここでは、第１の区画１、第２の区画２及び第３の区画３に区切られている。このうち、第３の区画３には入退室制限が課されており、この第３の区画３は、さらに、第１のエリア４及び第２のエリア５に仕切られている。
【００１７】
第１の区画１と第３の区画３との間の出入口には第１の扉６が設けられている。また、第２の区画２と第３の区画３との間の出入口には第２の扉７が設けられている。そして、第３の区画３内における第１のエリア４と第２のエリア５との間の出入口には第３の扉８が設けられている。
【００１８】
これらの第１の扉６、第２の扉７及び第３の扉８は、図示しない電気錠により施解錠される。これらの扉を通過して第３の区画３に対して入退室しようとする個人は、ＩＤカードを携行している。このＩＤカードには、複数の個人の各々を一意に識別する個人識別情報が予め記憶されている。
【００１９】
第３の区画３の外側における第１の扉６の近傍の壁面又は第１の扉６自体には、ＩＤカードが記憶する個人識別情報の入力を受け付けるための第１の入側カードリーダ９が設置されている。なお、以下においては、ある扉の近傍の壁面又は当該扉自体のことを「扉の近傍等」という。第３の区画３の内側における第１の扉６の近傍等には、同じくＩＤカードが記憶する個人識別情報の入力を受け付けるための第１の出側カードリーダ１０が設置されている。
【００２０】
同様に、第３の区画３の外側における第２の扉７の近傍等には第２の入側カードリーダ１１が設置され、第３の区画３の内側における第２の扉７の近傍等には第２の出側カードリーダ１２が設置されている。
【００２１】
また、第３の区画３内の第１のエリア４側における第３の扉８の近傍等には第１のエリア移動用カードリーダ１３が設置され、第３の区画３内の第２のエリア５側における第３の扉８の近傍等には、第２のエリア移動用カードリーダ１４が設置されている。
【００２２】
これらのカードリーダ及び各扉の電気錠の動作は、入退室管理制御装置により制御されている。このカードリーダと入退室管理制御装置の構成が図２である。この図２に示すように、各カードリーダは、入退室管理制御装置２１に接続されている。入退室管理制御装置２１が備える認証情報記憶手段２２には、各扉の通行が許可された個人の個人識別情報が認証情報として予め記憶されている。
【００２３】
各扉の電気錠は平常時において施錠されている。各扉を通過しようとする個人は、ＩＤカードをカードリーダにかざす等して、ＩＤカードの個人識別情報をカードリーダに入力する操作を行う。入力された個人識別情報は、入退室管理制御装置２１が備える認証手段２１ａへと送られる。
【００２４】
認証手段２１ａは、入力された個人識別情報に基づいて個人を識別し、認証情報記憶手段２２の認証情報と照合することによって当該識別された個人が入退室を許可されている者であるか否かの認証を行う。そして、この認証に成功した場合には操作されたカードリーダに対応する扉の電気錠が解錠されて、当該認証された個人は扉を通過して入退室することが可能になる。一方、認証に失敗した場合には扉の電気錠が施錠された状態が維持され、個人による扉の通過が阻止される。
【００２５】
また、さらに、入退室管理制御装置２１は、第１のエリア４及び第２のエリア５に対する各個人の入退室状態の管理を行うための入退室情報管理手段２１ｂ及び入退室情報記憶手段２３を備えている。
【００２６】
入退室情報記憶手段２３には、第１のエリア４及び第２のエリア５のそれぞれについて入室状態であるか退室状態であるかの入退室情報が、各個人の個人識別情報毎に関連付けて記憶される。入退室情報管理手段２１ｂは、認証手段２１ａによる認証が成功した場合に、入退室情報記憶手段２３に記憶されている当該認証に成功した個人識別情報に関連付けられた入退室情報を更新する。
【００２７】
例えば、あるエリアに対する入側のカードリーダが操作されて個人識別情報が入力された場合、認証手段２１ａによる認証が成功したときには、入退室情報管理手段２１ｂは、入退室情報記憶手段２３に記憶されている当該個人識別情報の当該エリアの入退室情報を「入室」に更新する。
【００２８】
また、逆に、あるエリアの出側のカードリーダが操作されて個人識別情報が入力された場合、認証手段２１ａによる認証が成功したときには、入退室情報管理手段２１ｂは、入退室情報記憶手段２３に記憶されている当該個人識別情報の当該エリアの入退室情報を「退室」に更新する。
【００２９】
そして、図１に示すように、１つの区画（ここでは第３の区画３）内に仕切られた複数のエリア（ここでは第１のエリア４及び第２のエリア５）があって、これら複数のエリアのうちの２つのエリアを直接に連通する出入口の扉（第３の扉８）に対応付けられて、当該２つのエリアの一方側及び他方側の双方にそれぞれエリア移動用のカードリーダ（第１のエリア移動用カードリーダ１３及び第２のエリア移動用カードリーダ１４）が設置されている場合において、これらエリア移動用のカードリーダが操作されて個人識別情報が入力されたときにおける入退室情報の更新は、次のようにして行われる。
【００３０】
入退室情報管理手段２１ｂは、図３に示すように、入退室情報管理において、１つの区画内の複数のエリアのそれぞれを仮想的に別区画として取り扱う。すなわち、第１のエリア４及び第２のエリア５を、それぞれ仮想的に第１の仮想区画１５及び第２の仮想区画１６であるとし、第３の扉８を、第１の仮想区画１５の出入口に設けられた第１の仮想扉１７と、第２の仮想区画１６に設けられた第２の仮想扉１８とに仮想的に分割して取り扱う。そして、第１の仮想区画１５の外側には仮想的に第１の仮想カードリーダ１９があるとみなし、第２の仮想区画１６の外側には仮想的に第２の仮想カードリーダ２０があるとみなす。
【００３１】
その上で、入退室情報管理手段２１ｂは、第１のエリア移動用カードリーダ１３を第１の仮想区画１５の出側カードリーダであるとして取り扱い、第１の仮想カードリーダ１９を第１の仮想区画１５の入側カードリーダとして取り扱う。また、第２のエリア移動用カードリーダ１４を第２の仮想区画１６の出側カードリーダであるとして取り扱い、第２の仮想カードリーダ２０を第２の仮想区画１６の入側カードリーダとして取り扱う。
【００３２】
そして、入退室情報管理手段２１ｂは、第１のエリア移動用カードリーダ１３が操作されて認証手段２１ａによる認証に成功した場合には、第１のエリア移動用カードリーダ１３での認証に成功した後、続けて第２の仮想カードリーダ２０での認証にも成功したものとする。
【００３３】
すなわち、第１のエリア移動用カードリーダ１３での認証に成功した場合、入退室情報管理手段２１ｂは、まず、第１の仮想区画１５（＝第１のエリア４）の出側カードリーダでの認証に成功したとして当該認証に成功した個人識別情報に係る第１のエリア４の入退室情報を「退室」に更新する。そして、次に、入退室情報管理手段２１ｂは、第２の仮想区画１６（＝第２のエリア５）の入側カードリーダでの認証に成功したとして当該個人識別情報に係る第２のエリア５の入退室情報を「入室」に更新する。
【００３４】
また、入退室情報管理手段２１ｂは、第２のエリア移動用カードリーダ１４が操作されて認証手段２１ａによる認証に成功した場合には、第２のエリア移動用カードリーダ１４での認証に成功した後、続けて第１の仮想カードリーダ１９での認証にも成功したものとする。
【００３５】
すなわち、第２のエリア移動用カードリーダ１４での認証に成功した場合、入退室情報管理手段２１ｂは、まず、第２の仮想区画１６（＝第２のエリア５）の出側カードリーダでの認証に成功したとして当該認証に成功した個人識別情報に係る第２のエリア５の入退室情報を「退室」に更新する。そして、次に、入退室情報管理手段２１ｂは、第１の仮想区画１５（＝第１のエリア４）の入側カードリーダでの認証に成功したとして当該個人識別情報に係る第１のエリア４の入退室情報を「入室」に更新する。
【００３６】
このように、一方のエリア側にあるエリア移動用カードリーダを操作してエリア間の扉を通過し、一方のエリアから他方のエリアに移動した場合に、入退室情報管理手段２１ｂは、一方のエリアの出側カードリーダを操作した後に他方のエリアの入側カードリーダを操作したものとみなして入退室情報管理を行う。
【００３７】
そして、以上のような仮想区画、仮想扉及び仮想カードリーダの概念を用いた入退室情報管理を行うことによって、入退室情報管理において、エリア移動用カードリーダに対する操作をこれと等価な入側及び出側のカードリーダに対する操作として処理することができる。したがって、エリア移動用カードリーダの操作に伴う入退室情報管理を、入側及び出側カードリーダが操作された場合と同様の処理によって、簡潔かつ正確に実施することが可能である。
【００３８】
なお、仮想区画、仮想扉及び仮想カードリーダの設定は、ここでは入退室情報管理手段２１ｂにおいて行うものとして説明したが、このような仮想的な設定を行うための仮想情報設定手段を入退室情報管理手段２１ｂに設けた上で、入退室情報管理手段２１ｂはこの仮想情報設定手段により設定された仮想区画、仮想扉及び仮想カードリーダに従って入退室情報の管理を行うようにしてもよい。
【００３９】
以上のようにして更新される入退室情報記憶手段２３に記憶されている入退室情報を利用することにより、入退室管理制御装置２１は、個人識別情報が入力された（操作された）カードリーダと、当該入力された個人識別情報に係る入退室情報とに不整合があった場合には認証失敗とする、いわゆる、アンチパスバック機能を実現することができる。
【００４０】
ここでいう不整合とは、具体的に例えば、個人識別情報が入力された（操作された）カードリーダが第１の入側カードリーダ９であるにもかかわらず、当該入力された個人識別情報に係る入退室情報が第１のエリア４に「入室」している状態である場合（すなわち、第１のエリア４に入室しようとしているにもかかわらず、入退室情報記憶手段２３に記憶された入退室情報では既に第１のエリア４に入室していることになっている場合）や、個人識別情報が入力された（操作された）カードリーダが第２の出側カードリーダ１２であるにもかかわらず、当該入力された個人識別情報に係る入退室情報が第２のエリア５から「退室」している状態である場合（すなわち、第２のエリア５から退室しようとしているにもかかわらず、入退室情報記憶手段２３に記憶された入退室情報では既に第２のエリア５から退室していることになっている場合）等である。
【００４１】
アンチパスバック機能とは、こういった操作されたカードリーダと入退室情報とに不整合があった場合には、例えば一度入室（退室）に使用したＩＤカードを室外（室内）にいる他人に渡して（パスバックして）、１つのＩＤカードで複数人が入室（退室）しようとする等の不正が行われようとしている可能性があるとして、そのような場合には認証失敗とする機能である。
【００４２】
図４から図６のフロー図は、この実施の形態においてカードリーダが操作された場合の入退室管理制御装置２１の動作を示すものである。
まず、図４を参照しながら、入側カードリーダが操作された場合の動作を説明する。
ステップＳ１において、入側カードリーダ（第１の入側カードリーダ９又は第２の入側カードリーダ１１）が操作されてＩＤカードの個人識別情報が入力されると、認証手段２１ａによって入力された個人識別情報に基づく認証が行われる。
【００４３】
そして、ステップＳ２に進み、この認証の結果が成功（ＯＫ）であった場合にはステップＳ３へと進んで、入退室情報管理手段２１ｂは、入退室情報記憶手段２３が記憶する、認証された個人識別情報に係る入退室情報について、ステップＳ１で操作された入側カードリーダのエリア（第１の入側カードリーダ９が操作された場合は第１のエリア４、第２の入側カードリーダ１１が操作された場合は第２のエリア５）の入退室情報を「入室」に更新し、一連の処理を終了する。一方、認証の結果が失敗（ＮＧ）であった場合には入退室情報の更新は行わずに処理を終了する。
【００４４】
次に、図５を参照しながら、出側カードリーダが操作された場合の動作を説明する。
ステップＳ４において、出側カードリーダ（第１の出側カードリーダ１０又は第２の出側カードリーダ１２）が操作されてＩＤカードの個人識別情報が入力されると、認証手段２１ａによって入力された個人識別情報に基づく認証が行われる。
【００４５】
そして、ステップＳ５に進み、この認証の結果が成功（ＯＫ）であった場合にはステップＳ６へと進んで、入退室情報管理手段２１ｂは、入退室情報記憶手段２３が記憶する、認証された個人識別情報に係る入退室情報について、ステップＳ４で操作された出側カードリーダのエリア（第１の出側カードリーダ１０が操作された場合は第１のエリア４、第２の出側カードリーダ１２が操作された場合は第２のエリア５）の入退室情報を「退室」に更新し、一連の処理を終了する。一方、認証の結果が失敗（ＮＧ）であった場合には入退室情報の更新は行わずに処理を終了する。
【００４６】
最後に、図６を参照しながら、エリア移動用カードリーダが操作された場合の動作を説明する。
ステップＳ７において、エリア移動用カードリーダ（第１のエリア移動用カードリーダ１３又は第２のエリア移動用カードリーダ１４）が操作されてＩＤカードの個人識別情報が入力されると、認証手段２１ａによって入力された個人識別情報に基づく認証が行われる。
【００４７】
そして、ステップＳ８に進み、この認証の結果が成功（ＯＫ）であった場合にはステップＳ９へと進む。このステップＳ９においては、入退室情報管理手段２１ｂは、入退室情報記憶手段２３が記憶する認証された個人識別情報に係る入退室情報について、ステップＳ７で操作されたエリア移動用カードリーダを出側カードリーダとみなすことによって、移動元のエリア（第１のエリア移動用カードリーダ１３が操作された場合は第１のエリア４、第２のエリア移動用カードリーダ１４が操作された場合は第２のエリア５）の入退室情報を「退室」に更新する。
【００４８】
そして、続くステップＳ１０において、入退室情報管理手段２１ｂは、入退室情報記憶手段２３が記憶する、認証された個人識別情報に係る入退室情報について、移動先のエリアの入側カードリーダである第２の仮想カードリーダ２０が操作されたとみなして、移動先のエリア（第１のエリア移動用カードリーダ１３が操作された場合は第２のエリア５、第２のエリア移動用カードリーダ１４が操作された場合は第１のエリア４）の入退室情報を「入室」に更新する。
【００４９】
ステップＳ１０が完了すれば、一連の処理を終了する。また、認証の結果が失敗（ＮＧ）であった場合には入退室情報の更新は行わずに処理を終了する。このようにして、前述した仮想的な概念を用いて処理を行うことにより、入退室情報管理手段２１ｂは、結果的に移動元のエリアを「退室」して移動先のエリアに「入室」した状態へと入退室情報を更新する。
【００５０】
以上のように構成された入退室管理システムは、複数設けられた区画のそれぞれの出入口に対応付けられて設置され、区画を入退室する複数の個人の各々を一意に識別する個人識別情報の入力を受け付ける入力手段である入側及び出側カードリーダと、個人識別情報に、各個人の区画毎の入退室状態を対応付けて記憶する記憶手段である入退室情報記憶手段と、入力手段に入力された個人識別情報に対応する個人の区画への入室及び退室の別を判断し、記憶手段が記憶する当該個人の入退室状態を更新する入退室管理手段と、１つの区画内に仕切られて設けられた複数のエリアのうちの２つのエリアである第１のエリア及び第２のエリアを直接に連通する出入口に対応付けられて、第１のエリア側及び第２のエリア側の双方にそれぞれ設置され、第１エリアと第２のエリアとの間を移動する個人の個人識別情報の入力を受け付けるエリア移動用入力手段であるエリア移動用カードリーダと、を備えている。
【００５１】
そして、入退室管理手段は、第１のエリア側のエリア移動用入力手段に個人識別情報が入力された場合に、記憶手段における、当該個人識別情報に対応する個人の第１のエリアの入退室状態を退室に更新し、かつ、当該個人の第２のエリアの入退室状態を入室に更新するとともに、第２のエリア側のエリア移動用入力手段に個人識別情報が入力された場合に、記憶手段における、当該個人識別情報に対応する個人の第２のエリアの入退室状態を退室に更新し、かつ、当該個人の第１のエリアの入退室状態を入室に更新するものである。
【００５２】
このため、個人毎の現在区画の管理に各区画における入退室状態を用いる入退室管理システムにおいて１つの区画内において仕切られた複数のエリア間を移動できる扉が存在する場合に、実際の入退室状態と入退室管理システムで管理している入退室状態との間に不整合が生じることを防止することができる。
【００５３】
また、したがって、１つの区画内において仕切られた複数のエリア間を移動できる扉が存在する場合にも、各エリアでの入退室情報の管理が実現でき、アンチパスバック機能を実装することも可能であって、セキュリティを向上させることができる。また、各エリア毎に入退室情報を管理できることから、個人が在室しているエリアを正確に特定することも可能である。
【符号の説明】
【００５４】
１    第１の区画
２    第２の区画
３    第３の区画
４    第１のエリア
５    第２のエリア
６    第１の扉
７    第２の扉
８    第３の扉
９    第１の入側カードリーダ
１０    第１の出側カードリーダ
１１    第２の入側カードリーダ
１２    第２の出側カードリーダ
１３    第１のエリア移動用カードリーダ
１４    第２のエリア移動用カードリーダ
１５    第１の仮想区画
１６    第２の仮想区画
１７    第１の仮想扉
１８    第２の仮想扉
１９    第１の仮想カードリーダ
２０    第２の仮想カードリーダ
２１    入退室管理制御装置
２１ａ  認証手段
２１ｂ  入退室情報管理手段
２２    認証情報記憶手段
２３    入退室情報記憶手段
【図１】
2013161229.tif 000003
【図２】
2013161229.tif 000004
【図３】
2013161229.tif 000005
【図４】
2013161229.tif 000006
【図５】
2013161229.tif 000007
【図６】
2013161229.tif 000008